(57)【要約】【課題】ユーザが確実に視聴できる放送番組を、できない放送番組と区分して認識する。【解決手段】放送局選択指示部31と、その指示に基づいて放送を受信し、放送中に重畳されている、放送地域情報を含む複数の放送番組情報からなるＥＰＧ情報を取得する受信部32と、地図上の現在地から目的地に至る経路及び該経路の行程の予想通過時刻を算出するナビゲーション部33と、地域識別情報とその情報に対する地図上の該当地域とを関連付けて記憶した記憶部34と、受信部32で取得した電子番組表情報中の放送地域情報により記憶部34から該当地域を照合し、この照合結果と予想通過時刻に基づいて通過経路に沿って移動する場合に、放送地域が対応している放送番組情報と対応していない放送番組情報とを選別する制御部15と、選別された結果を反映させた状態でＥＰＧ情報を表示する表示制御部13及び表示部11とを備える。【選択図】      図２
2007251260.tif 000002
【特許請求の範囲】
【請求項１】
電子番組表表示の指示を受付ける受付手段と、
この受付手段で受付けた電子番組表表示の指示に基づいて放送を受信し、放送中に重畳されている、放送地域情報を含む複数の放送番組情報からなる電子番組表情報を取得する放送受信手段と、
地図上の現在地から目的地に至る通過経路及び該経路の行程の予想通過時刻を算出する経路算出手段と、
放送地域情報とその情報に対する地図上の該当地域とを関連付けて記憶した記憶手段と、
前記放送受信手段で取得した電子番組表情報中の放送地域情報により前記記憶手段から該当地域を照合し、この照合結果と前記算出された予想通過時刻とに基づいて前記算出された通過経路に沿って移動する場合に、放送地域が対応している放送番組情報と、前記放送地域が対応していない放送番組情報とを選別する選別手段と、
この選別手段で選別された結果を反映させた状態で電子番組表情報を表示する表示手段と
を具備したことを特徴とする車載放送受信装置。
【請求項２】
電子番組表表示の指示を受付ける受付手段と、
この受付手段で受付けた電子番組表表示の指示に基づいて放送を受信し、放送中に重畳されている、放送局情報を含む複数の放送番組情報からなる電子番組表情報を取得する放送受信手段と、
地図上の現在地から目的地に至る経路及び該経路の行程の予想通過時刻を算出する経路算出手段と、
放送局情報とその放送局情報に対する地図上の該当地域とを関連付けて記憶した記憶手段と、
前記放送受信手段で取得した電子番組表情報中の放送局情報により前記記憶手段から該当地域を照合し、この照合結果と前記算出された予想通過時刻とに基づいて前記算出された通過経路に沿って移動する場合に、放送地域が対応している放送番組情報と前記放送地域が対応していない放送番組情報とを選別する選別手段と、
この選別手段で選別された結果を反映させた状態で電子番組表情報を表示する表示手段と
を具備したことを特徴とする車載放送受信装置。
【請求項３】
前記表示手段は、前記経路通過時に放送地域が対応している放送番組情報と対応していない放送番組情報とを区切り線にて区分表示することを特徴とする請求項１または２記載の車載放送受信装置。
【請求項４】
前記表示手段は、前記経路通過時に放送地域が対応している放送番組情報を対応していない放送番組情報とは異なる配色で表示することを特徴とする請求項１または２記載の車載放送受信装置。
【請求項５】
前記表示手段は、前記経路通過時に放送地域が対応している放送番組情報を表示し、対応していない放送番組情報を表示しないことを特徴とする請求項１または２記載の車載放送受信装置。
【発明の詳細な説明】
【技術分野】
【０００１】
本発明は、特にテレビ放送を受信可能なカーナビゲーション装置等に好適な車載放送受信装置に関する。
【背景技術】
【０００２】
近年、地上デジタルテレビ放送が関東、関西、東海の各広域圏で開始されており、本年末には日本全国で受信可能になるものとされている。そして、車載を前提としたカーナビゲーション装置でも、該放送に対応したテレビチューナを搭載することにより、受信エリア内であれば、受信状況の変化に関わらずゴーストやノイズの影響を大きく抑制し、安定したテレビ放送の受信が可能な環境が実現されている。
【０００３】
しかるに、デジタル放送の１つの特徴として、ＥＰＧ（電子番組表）の情報を受信して記憶しておくことで、該ＥＰＧがいつでも画面上で見られ、所望のチャンネルを確認した上で容易に選択することが可能となることが挙げられる。
【０００４】
しかしながら、受信位置が移動することが前提となるカーナビゲーション装置では、過去に受信し、記憶しているＥＰＧの内容に従って選局を行なおうとしても、現在の位置が前記受信位置から大きく移動しているために、本来その位置で得られる筈のＥＰＧの内容と著しく相違し、表示されるＥＰＧ通りの内容を受信することができない場合もあり得る。
【０００５】
そのため、カーナビゲーション装置の基本機能の１つである経路誘導機能を組み合わせて、出発地から目的地に至る経路誘導時に、目的地への到着予想時刻前後に応じて番組表を区分して表示制御するようにした技術が考えられている。（例えば、特許文献１）
【特許文献１】特開２００４−２６０６１３号公報
【発明の開示】
【発明が解決しようとする課題】
【０００６】
前記特許文献に記載された技術は、番組表中の不要な部分を必要な部分と区分して表示するものであり、経路誘導に基づく時間的な要因を考慮したものがあるが、車載の装置で移動時に使用することを前提としながら、地理的な要因、すなわち移動先あるいは移動途中でも同様に番組表の番組を続けて受信することができるのかどうかは考慮されていない。
【０００７】
本発明は前記のような実情に鑑みてなされたもので、その目的とするところは、ユーザが確実に視聴できる放送番組を視聴できない放送番組と区分して認識することが可能な車載放送受信装置を提供することにある。
【課題を解決するための手段】
【０００８】
請求項１記載の発明は、電子番組表表示の指示を受付ける受付手段と、この受付手段で受付けた電子番組表表示の指示に基づいて放送を受信し、放送中に重畳されている、放送地域情報を含む複数の放送番組情報からなる電子番組表情報を取得する放送受信手段と、地図上の現在地から目的地に至る通過経路及び該経路の行程の予想通過時刻を算出する経路算出手段と、放送地域情報とその情報に対する地図上の該当地域とを関連付けて記憶した記憶手段と、前記放送受信手段で取得した電子番組表情報中の放送地域情報により前記記憶手段から該当地域を照合し、この照合結果と前記算出された予想通過時刻とに基づいて前記算出された通過経路に沿って移動する場合に、放送地域が対応している放送番組情報と、前記放送地域が対応していない放送番組情報とを選別する選別手段と、この選別手段で選別された結果を反映させた状態で電子番組表情報を表示する表示手段とを具備したことを特徴とする。
【発明の効果】
【０００９】
請求項１記載の発明によれば、誘導経路の行程と電子番組表を構成する放送番組情報に含まれる放送地域情報とにより、移動行程中でユーザが視聴できる時間帯及び地域の放送番組を、その他の視聴できない放送番組と確実に区分して認識することが可能となる。
【発明を実施するための最良の形態】
【００１０】
（第１の実施の形態）  
以下本発明を地上デジタルテレビ放送を受信可能なカーナビゲーション装置に適用した場合の第１の実施の形態について図面を参照して説明する。
【００１１】
図１は、本実施の形態に係る同カーナビゲーション装置１０の回路構成を示すものである。なおこの図１は、説明のために機能的なハードウェア回路の概略構成をブロック化して示すものであり、実際のＩＣ、ＬＳＩ等のチップ構成を示すものではない。
【００１２】
同図で、１１はバックライトを有するカラー液晶パネルとその駆動回路とでなる表示部である。この表示部１１に対し、透明板状のタッチパネル１２が一体にして構成される。
【００１３】
表示部１１は、表示制御部１３から与えられる表示データに従って地図やテレビ番組等の映像を表示するものであり、この表示部１１に一体にして構成されるタッチパネル１２は、ユーザの手指によるタッチ操作に対応した信号を出力するもので、このタッチパネル１２の出力をタッチ入力制御部１４が２次元座標データ化して制御部１５へ出力する。
【００１４】
この制御部１５は、制御演算を行なうＣＰＵ、このＣＰＵの動作プログラムやパラメータ等を固定的に記憶する不揮発性メモリ、及び各種プログラムを実行する上でそのワークエリアとなるメインメモリ等から構成され、このカーナビゲーション装置１０全体の動作制御を司る。
【００１５】
しかるに、この制御部１５には、前記タッチ入力制御部１４、及び制御部１５の他に、ＧＰＳレシーバ１６、ハードディスク装置（ＨＤＤ）１７、マルチディスクドライブ１８、テレビ／ＦＭチューナ１９、キー入力部２０、及び音声処理部２１等とも接続される。
【００１６】
ＧＰＳレシーバ１６は、ＧＰＳアンテナ２２で受信した、複数のＧＰＳ衛星からの到来電波により正確な現在位置の緯度、経度、及び高度と現在時刻とを算出し、算出結果を制御部１５へ出力する。
【００１７】
ハードディスク装置１７は、位置情報に対応した地図データを複数の縮尺に合わせて記憶する他、ユーザの設定により後述するマルチディスクドライブ１８で再生された音楽データ等も合わせて記憶し、制御部１５の制御の基にそれらの記憶内容を読出して出力する。
【００１８】
マルチディスクドライブ１８は、例えばＤＶＤ（Ｄｉｇｉｔａｌ  Ｖｅｒｓａｔｉｌｅ  Ｄｉｓｃ）−Ｖｉｄｅｏ、ＤＶＤ−ＲＯＭ、ＤＶＤ±Ｒ、音楽ＣＤ（Ｃｏｍｐａｃｔ  Ｄｉｓｃ）、ＣＤ−ＲＯＭ、ＣＤ−Ｒ等の各種ディスクを再生することが可能であるものとし、その再生データを制御部１５へ出力する。
【００１９】
テレビ／ＦＭチューナ１９は、テレビ／ＦＭアンテナ２３で受信したテレビ放送電波、ＦＭ放送電波からユーザの選択したチャンネルの周波数帯を選局し、そのチャンネルのテレビ放送番組、ＥＰＧや、ＦＭ放送番組、ＶＩＣＳ(Ｖｅｈｉｃｌｅ  Ｉｍｆｏｒｍａｔｉｏｎ  ａｎｄ  Ｃｏｍｍｕｎｉｃａｔｉｏｎ  Ｓｙｓｔｅｍ)情報等を復調して制御部１５へ出力する。
【００２０】
キー入力部２０は、タッチパネル１２以外に設けられた、例えばボリュームの「＋」／「−」キーや受信チャンネルの「＋」／「−」キー、ナビゲーション機能のための「現在地」キー、「目的地」キー、「番組表」キー等、このカーナビゲーション装置１０を使用する上で多用する各種キースイッチからなり、そのキー操作信号を制御部１５へ出力する。
【００２１】
音声処理部２１は、制御部１５から与えられるデジタル値の音声データをアナログ化してスピーカ２４を拡声駆動する一方で、マイクロホン２５から入力されたアナログの音声信号をサンプリングしてデジタル化した上で制御部１５へ出力する。
【００２２】
なお、前記の他にも、ジャイロスコープと車速パルスにより相対的な自車の移動方向と距離とを算出する自律航法ユニットや、このカーナビゲーション装置１０用の図示しないリモートコントローラからの赤外線変調信号を受信する赤外線受光部などが制御部１５に接続されるが、ここではその図示及び説明を省略する。
【００２３】
前記制御部１５は、通常の動作時において、ＧＰＳレシーバ１９から得られる現在位置の情報を基にハードディスク装置２０から現在位置周辺の適宜範囲の地図データを読出し、これを展開して表示データを作成した上で表示制御部１３へ送出し、表示部１１において表示させる。
【００２４】
一方で制御部１５は、地図を表示しない状態においては、テレビ／ＦＭチューナ１９から得られるテレビ放送番組やマルチディスクドライブ１８で再生されるＤＶＤからの映像信号により表示データを作成した上で表示制御部１３へ送出し、表示部１１においてその映像を表示させる。
【００２５】
次に、前記実施の形態の動作について説明する。
【００２６】
図２は、主として制御部１５が実行する動作処理を機能的にまとめたものであり、制御部１５の制御の下に制御部１５以外の要素が含まれるものについては前記図１における符号を併せて記している。
【００２７】
また、図３は、キー入力部２０の受信チャンネルの「＋」／「−」キーが操作された場合に実行する制御部１５の処理の流れを示すものであり、以下この図３の処理に基づいて前記図２及び他の図面を用いて番組表表示時の動作について説明するものとする。
【００２８】
すなわち、キー入力部２０の受信チャンネルの「＋」キーまたは「−」キーが操作され、そのキー操作信号が制御部１５に入力された場合、これが図２における放送局選択指示部３１とその選択指示となる。
【００２９】
この選択指示を受けた制御部１５では、直ちにテレビ／ＦＭチューナ１９によりその時点ですでに選択されている放送局に対して指示内容の方向に更新した放送局の搬送波を選局し、ＥＰＧの情報を受信する（ステップＳ０１）。
【００３０】
より具体的には、あらたに選択された放送局の搬送波を選局してＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ：直交波周波数分割多重）変調してＴＳ（Ｔｒａｎｓｐｏｒｔ  Ｓｔｒｅａｍ）を得、このＴＳをデコードして映像と音声、及びその他のデータに分離する。
【００３１】
こうして得たその他のデータの中からＰＳＩ（Ｐｒｏｇｒａｍ  Ｓｐｅｃｉｆｉｃ  Ｉｎｆｏｒｍａｔｉｏｎ）を抽出し、抽出したＰＳＩからＰＡＴ（Ｐｒｏｇｒａｍ  Ａｓｓｏｃｉａｔｉｏｎ  Ｔａｂｌｅ）とＰＭＴ（Ｐｒｏｇｒａｍ  Ｍａｐ  Ｔａｂｌｅ）と抽出して、そのいずれか一方からサービス識別（ｓｅｒｖｉｃｅ  ｉｄ）情報を抽出する。
【００３２】
このとき同時に制御部１５は、現在地から目的地に至るルートを地図上でユーザに誘導するルート誘導の動作中であるか否かを判断する（ステップＳ０２）。
【００３３】
ここでルート誘導の動作中ではなかった場合には、そのまま前記テレビ／ＦＭチューナ１９で受信したＥＰＧの情報、具体的には前記ＰＡＴとＰＭＴにより作成した内容に基づいて表示データを作成し、表示制御部１３により表示部１１に表示させる（ステップＳ０９）。
【００３４】
以上で前記受信チャンネルの「＋」／「−」キー操作に伴うこの図３の処理を終了し、以後表示部１１に表示したＥＰＧに対する操作等をタッチパネル１２からの入力により実行する。
【００３５】
また、前記ステップＳ０２でルート誘導の動作中であると判断した場合に制御部１５は、誘導中のルート情報から、点としての座標値データの連続であるルート座標値列データを作成する（ステップＳ０３）。
【００３６】
すなわち、本来のルート情報は、ハードディスク装置１７に記憶される地図データ中の道路の記述と同じく交差点位置間毎のベクトルデータの連続であるのに対して、これを所定間隔の座標値列データに変換する。
【００３７】
次いで、テレビ／ＦＭチューナ１９で受信したＥＰＧの情報中のサービス識別情報中から放送地域情報を抽出する（ステップＳ０４）。
【００３８】
図２では、ＥＰＧの情報を受信するテレビ／ＦＭチューナ１９と、そのＥＰＧの情報中から放送地域情報を抽出する制御部１５を受信部３２として表現している。
【００３９】
このサービス識別情報は、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ：電波産業会）が付与し、管理するものであって、ＴＲ−Ｂ１４の第７編の「９．１．３サービス識別の（ａ）ビット配置」に記述されている。
【００４０】
すなわち、このサービス識別情報全１６ビット「ｂ１５」〜「ｂ０」中の先頭のＭＳＢから６ビット「ｂ１５」〜「ｂ１０」が「地域識別」情報すなわち本発明の放送地域情報となっている。
【００４１】
制御部１５は、この放送地域情報に基づき、ハードディスク装置１７に予め記憶している地域境界座標値データを対応範囲情報として読出す（ステップＳ０５）。
【００４２】
この放送地域情報に対する地域の特定は、同じくＡＲＩＢのＴＲ−Ｂ１４の第７編「９．１．３サービス識別の（ｃ）地域識別割り当て」に記述されている。
【００４３】
例えば、放送地域情報（＝地域識別情報）が「２３」であれば、この情報に基づいて「東京」の境界座標値データを対応範囲情報としてハードディスク装置１７から読出す。
【００４４】
図２では、この放送地域情報に基づいて対応範囲情報を読出す制御部１５をナビゲーション部３３として、放送地域情報に対応する対応範囲情報を予め記憶し、ナビゲーション部３３へ読出すハードディスク装置１７を記憶部３４としてそれぞれ表現している。
【００４５】
ナビゲーション部３３としての制御部１５は、前記ステップＳ０３で作成したルート座標値列データと対応範囲情報とを照合し、重複する地点を算出して越境地点として設定する（ステップＳ０６）。
【００４６】
図４は、このナビゲーション部３３による越境地点の設定処理を説明するものである。同図で、ある放送局の番組が放送されているＡ県内の現在地Ｎから、同放送局の放送エリアを越えている、隣接するＢ県内の目的地Ｏに至るルート座標値列データＲがあった場合、このルート座標値列データＲと、現在地Ｎを含むＡ県の周囲を示す境界座標値データ（対応範囲データ）Ｂとで重複する交点を越境地点Ｃとして設定する。
【００４７】
こうして越境地点の設定を終えると、ナビゲーション部３３としての制御部１５は、次いで過去の移動履歴及び現在の移動速度から越境地点を通過する予想時刻を算出する（ステップＳ０７）。
【００４８】
そして、算出した予想時刻と、この時刻に応じて区分したＥＰＧの情報とを予め設定される表示フォーマットにしたがって表示データ化した上で表示制御部１３へ送出し、表示部１１で表示させ（ステップＳ０８）、以上で受信チャンネルの「＋」／「−」キー操作に伴う図３の処理を終了し、以後表示部１１に表示したＥＰＧに対する操作等をタッチパネル１２からの入力に応じて実行する。
【００４９】
図５は、このとき表示制御部１３で表示されるＥＰＧの画面を例示するものであり、放送局名「チャンネルＡ県」の午前１０時台乃至午後２時台の番組「Ａ１」〜「Ａ５」について表示している状態を示すものである。
【００５０】
併せて、午後０時台の番組「Ａ３」中央部分、およそ「０：３０」の位置に対し、「対応範囲境界到着予想時刻」であることを、矢印を含む区切り線にて表示している。ここでは、現在の誘導ルートを現在のペースで移動し続けると、番組「Ａ３」の視聴の半ばである「０：３０」頃に放送局名「チャンネルＡ県」の対応範囲であるＡ県を越えてＢ県に至るため、同番組を視聴できなくなる可能性があることをＥＰＧ上で表示している
このように、誘導ルートの行程とＥＰＧを構成する情報に含まれる放送地域情報とにより、ルートに沿った移動の行程中でユーザが視聴できる時間帯及び放送番組を、視聴できない放送番組と確実に区分して認識することが可能となる。
【００５１】
加えて、前記放送地域情報（＝地域識別情報）は、各都道府県単位に付与されるのみならず、放送局毎に例えば「北海道（函館）」「関東広域」「近畿広域」「島根鳥取」等、複数の県等にまたがった放送エリア、あるいは限定された放送エリアにも対応しているため、放送局毎の放送エリアに則してその越境地点を正確に判断することができる。
【００５２】
（第２の実施の形態）  
以下本発明を地上デジタルテレビ放送を受信可能なカーナビゲーション装置に適用した場合の第２の実施の形態について図面を参照して説明する。
【００５３】
なお、本実施の形態に係る同カーナビゲーション装置の回路構成については、前記図１に示したものと基本的に同様であるので、同一部分には同一符号を用いるものとしてその図示と説明とを省略する。
【００５４】
加えて、ハードディスク装置１７には、地図データ等の他に、日本全国の放送局情報とそれに対応した放送地域情報とが予め記憶されている。その内容については、例えばＡＲＩＢのＴＲ−Ｂ１４の第７編「９．２．１ネットワーク識別／トランスポートストリーム識別／リモコンキー識別／サービス識別の表９−１」に準拠するものとする。
【００５５】
次に、前記実施の形態の動作について説明する。
【００５６】
図６は、主として制御部１５が実行する動作処理を機能的にまとめたものであり、制御部１５の制御の下に制御部１５以外の要素が含まれるものについては前記図１における符号を併せて記している。
【００５７】
また、図７は、キー入力部２０の受信チャンネルの「＋」／「−」キーが操作された場合に実行する制御部１５の処理の流れを示すものであり、以下この図７の処理に基づいて前記図６及び他の図面を用いて番組表表示時の動作について説明するものとする。
【００５８】
すなわち、キー入力部２０の受信チャンネルの「＋」キーまたは「−」キーが操作され、そのキー操作信号が制御部１５に入力された場合、これが図６における放送局選択指示部４１とその選択指示となり、受信部４２及びナビゲーション部４３へ出力する。
【００５９】
この選択指示を受けた制御部１５では、直ちに受信部４２を構成するテレビ／ＦＭチューナ１９によりその時点ですでに選択されている放送局に対して指示内容の方向に更新した放送局の搬送波を選局し、ＥＰＧの情報を受信する（ステップＳ５１）。
【００６０】
より具体的には、あらたに選択された放送局の搬送波を選局してＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ：直交波周波数分割多重）変調してＴＳ（Ｔｒａｎｓｐｏｒｔ  Ｓｔｒｅａｍ）を得、このＴＳをデコードして映像と音声、及びその他のデータに分離する。
【００６１】
こうして得たその他のデータの中からＰＳＩ（Ｐｒｏｇｒａｍ  Ｓｐｅｃｉｆｉｃ  Ｉｎｆｏｒｍａｔｉｏｎ）を抽出し、抽出したＰＳＩからＰＡＴ（Ｐｒｏｇｒａｍ  Ａｓｓｏｃｉａｔｉｏｎ  Ｔａｂｌｅ）とＰＭＴ（Ｐｒｏｇｒａｍ  Ｍａｐ  Ｔａｂｌｅ）と抽出して、そのいずれか一方からサービス識別（ｓｅｒｖｉｃｅ  ｉｄ）情報を抽出する。
【００６２】
このとき同時に制御部１５は、表示部１１で表示している地図上で現在地から目的地に至るルートによりユーザを誘導するルート誘導の動作中であるか否かを判断する（ステップＳ５２）。
【００６３】
ここでルート誘導の動作中ではなかった場合には、そのまま前記テレビ／ＦＭチューナ１９で受信したＥＰＧの情報、具体的には前記ＰＡＴとＰＭＴにより作成した内容に基づいて表示データを作成し、表示制御部１３により表示部１１に表示させる（ステップＳ５９）。
【００６４】
以上で前記受信チャンネルの「＋」／「−」キー操作に伴うこの図７の処理を終了し、以後表示部１１に表示したＥＰＧに対する操作等をタッチパネル１２からの入力により実行する。
【００６５】
また、前記ステップＳ５２でルート誘導の動作中であると判断した場合に制御部１５は、誘導中のルート情報から、点としての座標値データの連続であるルート座標値列データを作成する（ステップＳ５３）。
【００６６】
すなわち、本来のルート情報は、ハードディスク装置１７に記憶される地図データ中の道路の記述と同じく交差点位置間毎のベクトルデータの連続であるのに対して、これを所定間隔の座標値列データに変換する。
【００６７】
次いで、それまで選択していた放送局に対して指示内容の方向に更新したあらたな放送局のチャンネル数を示す放送局情報を作成し（ステップＳ５４）、ハードディスク装置１７へ出力する。
【００６８】
図６では、前記ルート座標値列データの作成と、キー入力部２０でのキー操作に対応して放送局情報を作成する制御部１５をナビゲーション部４３として表現している。
【００６９】
ナビゲーション部４３は、作成した放送局情報と現在地の位置情報に基づき、ハードディスク装置１７に予め記憶している、上述した内容から放送地域情報を抽出し、さらにその放送地域情報から地図上での対応する地域境界座標値データを対応範囲情報として読出す（ステップＳ５５）。
【００７０】
この放送地域情報に対する地域の特定は、同じくＡＲＩＢのＴＲ−Ｂ１４の第７編「９．１．３サービス識別の（ｃ）地域識別割り当て」に記述されている。
【００７１】
例えば、放送地域情報（＝地域識別情報）が「２３」であれば、この情報に基づいて「東京」の境界座標値データを対応範囲情報としてハードディスク装置１７から読出す。
【００７２】
図６では、前記放送局情報から放送地域情報、及び放送地域情報に対応する対応範囲情報を予め記憶し、ナビゲーション部４３へ読出すハードディスク装置１７を記憶部４４として表現している。
【００７３】
ナビゲーション部４３としての制御部１５は、前記ステップＳ５３で作成したルート座標値列データと、読出した対応範囲情報とを照合し、重複する地点を算出して越境地点として設定する（ステップＳ５６）。
【００７４】
図４は、このナビゲーション部４３による越境地点の設定処理を説明するものである。同図で、ある放送局の番組が放送されているＡ県内の現在地Ｎから、同放送局の放送エリアを越えている、隣接するＢ県内の目的地Ｏに至るルート座標値列データＲがあった場合、このルート座標値列データＲと、現在地Ｎを含むＡ県の周囲を示す境界座標値データ（対応範囲データ）Ｂとで重複する交点を越境地点Ｃとして設定する。
【００７５】
こうして越境地点の設定を終えると、ナビゲーション部４３としての制御部１５は、次いで過去の移動履歴及び現在の移動速度から越境地点を通過する予想時刻を算出する（ステップＳ５７）。
【００７６】
そして、算出した予想時刻と、この時刻に応じて区分したＥＰＧの情報とを予め設定される表示フォーマットにしたがって表示データ化した上で表示制御部１３へ送出し、表示部１１で表示させ（ステップＳ５８）、以上で受信チャンネルの「＋」／「−」キー操作に伴う図７の処理を終了し、以後表示部１１に表示したＥＰＧに対する操作等をタッチパネル１２からの入力に応じて実行する。
【００７７】
図５は、このとき表示制御部１３で表示されるＥＰＧの画面を例示するものであり、放送局名「チャンネルＡ県」の午前１０時台乃至午後２時台の番組「Ａ１」〜「Ａ５」について表示している状態を示すものである。
【００７８】
併せて、午後０時台の番組「Ａ３」中央部分、およそ「０：３０」の位置に対し、「対応範囲境界到着予想時刻」であることを、矢印を含む区切り線にて表示している。ここでは、現在の誘導ルートを現在のペースで移動し続けると、番組「Ａ３」の視聴の半ばである「０：３０」頃に放送局名「チャンネルＡ県」の対応範囲であるＡ県を越えてＢ県に至るため、同番組を視聴できなくなる可能性があることをＥＰＧ上で表示している
このように、誘導ルートの行程と選局操作に応じた放送局の情報とにより、ルートに沿った移動の行程中でユーザが視聴できる時間帯及び放送番組を、視聴できない放送番組と確実に区分して認識することが可能となる。
【００７９】
なお、前記第１及び第２の実施の形態では、いずれもＥＰＧ画面中の区切り線により、放送地域が対応している放送番組と対応していない放送番組とを区分するものとしてせめしたが、本発明はこれに限ることなく、例えば色分けして表示するものとしてもよいし、さらには放送地域が対応していない放送番組をあえて表示せず、対応している放送番組のみを表示するものとしてもよい。
【００８０】
また、前記各実施の形態では、選局操作に対応してその操作によりＥＰＧの表示を指示するものとし、あらたに選局された放送局のみのＥＰＧを表示する動作についで説明したが、本発明はこれに限るものではなく、例えばあらたに選局された放送局のみのＥＰＧを一定時間だけ表示した後に自動的に当該放送局の番組を受信して表示する動作に移項するものとしてもよいし、さらには選局操作ではなく、キー入力部２０の「番組表」キーを操作することにより、その位置で受信可能なすべての放送局のＥＰＧを表示するものとしてもよい。
【００８１】
その場合、放送局毎に受信可能な放送エリアが異なる場合があり、その場合には放送局毎に越境地点も異なるものとなるため、それぞれの対応範囲境界到達予想時刻により放送局毎に放送地域が対応している放送番組を対応していない放送番組と区分して表示することになる。
【００８２】
その他、本発明は前記実施の形態に限らず、その要旨を逸脱しない範囲内で種々変形して実施することが可能であるものとする。
【００８３】
さらに、前記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００８４】
【図１】本発明の第１の実施の形態に係るカーナビゲーション装置全体のハードウェア回路構成を示すブロック図。
【図２】同実施の形態に係る番組表表示動作時の機能構成を示すブロック図。
【図３】同実施の形態に係る番組表表示動作時の処理内容を示すフローチャート。
【図４】同実施の形態に係る放送局の越境地点の設定処理を説明する図。
【図５】同実施の形態に係るＥＰＧの表示画面を例示する図。
【図６】本発明の第２の実施の形態に係る番組表表示動作時の機能構成を示すブロック図。
【図７】同実施の形態に係る番組表表示動作時の処理内容を示すフローチャート。
【符号の説明】
【００８５】
１０…カーナビゲーション装置、１１…表示部、１２…タッチパネル、１３…表示制御部、１４…タッチ入力制御部、１５…制御部、１６…ＧＰＳレシーバ、１７…ハードディスク装置（ＨＤＤ）、１８…マルチディスクドライブ、１９…テレビ／ＦＭチューナ、２０…キー入力部、２１…音声処理部、２２…ＧＰＳアンテナ、２３…テレビ／ＦＭアンテナ、２４…スピーカ、２５…マイクロホン、３１…放送局選択指示部、３２…受信部、３３…ナビゲーション部、３４…記憶部、４１…番組表表示指示部、４２…受信部、４３…ナビゲーション部、４４…記憶部。
【図１】
2007251260.tif 000003
【図２】
2007251260.tif 000004
【図３】
2007251260.tif 000005
【図４】
2007251260.tif 000006
【図５】
2007251260.tif 000007
【図６】
2007251260.tif 000008
【図７】
2007251260.tif 000009